(57)【特許請求の範囲】
【請求項１】
浴槽水を循環加熱する循環加熱回路と、該循環加熱回路に接続して浴槽への給湯、給水を行う給湯回路とを備え、上記浴槽に備えられたバスアダプタＢが２つの接続口２７、２８のどちらに循環加熱回路の往き管、戻り管のいずれを接続しても浴槽への往き、浴槽からの戻りの各機能が得られる強制循環風呂付き給湯器において、
前記バスアダプタＢが、２つの接続口２７、２８のいずれかに通ずる浴槽への往き又は浴槽からの戻り通路２９と、その外周に浴槽への往き又は浴槽からの戻り通路３０とを有する外側循環口体３１と、
キャップ３３が脱着と回動が自由に行えるように嵌着され、前記外側循環口体３１の浴槽への往き又は浴槽からの戻り通路２９に通ずる浴槽への往き又は浴槽からの戻り通路３４と、浴槽への往き又は浴槽からの戻り通路３０に通ずる浴槽への往き又は浴槽からの戻り通路３５とを設け、該浴槽への往き又は浴槽からの戻り通路３４に浴槽への往き側又は浴槽からの戻り側となる吐出口３６と、浴槽への往き又は浴槽からの戻り通路３５に浴槽からの戻り側又は浴槽への往き側となる吸込口３７とが所定角度変位して設けられた内側循環口体３８とからなり、
前記キャップ３３には前記吐出口又は吸込口に連通できる１つのホース接続口４４を設け、
該キャップ３３を前記内側循環口体３８に対して所定角度回動して浴槽への往き側となる吐出口又は吸入口と同一軸心上にホース接続口４４を変位できることを特徴とする強制循環風呂付き給湯器のバスアダプタ。
【請求項２】
浴槽水を循環加熱する循環加熱回路と、該循環加熱回路に接続して浴槽への給湯、給水を行う給湯回路とを備え、上記浴槽に備えられたバスアダプタＢが２つの接続口２７、２８のどちらに循環加熱回路の往き管、戻り管のいずれを接続しても浴槽への往き、浴槽からの戻りの各機能が得られる強制循環風呂付き給湯器において、
前記バスアダプタＢが、２つの接続口２７、２８のいずれかに通ずる浴槽への往き又は浴槽からの戻り通路２９と、その外周に浴槽への往き又は浴槽からの戻り通路３０とを有する外側循環口体３１と、
キャップが脱着が自由に行えるように嵌着され、前記外側循環口体３１の浴槽への往き又は浴槽からの戻り通路２９に通ずる浴槽への往き又は浴槽からの戻り通路３４と、浴槽への往き又は浴槽からの戻り通路３０に通ずる浴槽への往き又は浴槽からの戻り通路３５とを設け、該浴槽への往き又は浴槽からの戻り通路３４に浴槽への往き側又は浴槽からの戻り側となる吐出口３６と、浴槽への往き又は浴槽からの戻り通路３５に浴槽からの戻り側又は浴槽への往き側となる吸込口３７とが所定角度変位して設けられた内側循環口体３８とからなり、
前記吐出口又は吸込口に連通できる１つのホース接続口４４をバスアダプタＢと別体に形成し、
この別体のホース接続口４４をバスアダプタの浴槽への往き側となる吐出口又は吸込口と同一軸心上に脱着可能に接続することを特徴とする強制循環風呂付き給湯器のバスアダプタ。
【発明の詳細な説明】
【０００１】
【発明の属する技術分野】
この発明は、強制循環風呂付き給湯器のバスアダプタに関し、詳しくは、バスアダプタにホース接続口を備えて浴槽水を市販のホースを介して洗濯機に注水できる強制循環風呂付き給湯器のバスアダプタに関する。
【０００２】
【従来の技術】
従来、浴槽水を洗濯機に注水する手段として、たとえば、図１２に示されているように、循環加熱回路４′の戻り管２′の途中にタイマー付き三方電磁弁からなる洗濯注水ユニットＶ′を備えて、浴槽水ａ′を循環ポンプにて洗濯機Ｃ′に注水している。
【０００３】
【発明が解決しようとする課題】
しかしながら、このような洗濯注水ユニットを備えたものにあっては、洗濯注水ユニットがタイマー付き三方電磁弁で構成されているから高価であり、また、この洗濯注水ユニットは洗濯機Ｃ′の近くに設置されることから、洗濯注水ユニットを経由する余分の配管設備２ａ′を必要とするために設備費も高くなる。さらに、循環加熱回路４′の戻り管２′が洗濯注水ユニットＶ′を迂回するので、浴槽水の循環加熱時の熱損失も著しいという問題点があった。
【０００４】
この発明の強制循環風呂付き給湯器のバスアダプタは上記課題を解決し、市販のホースをバスアダプタのホース接続口に接続するだけで循環ポンプによる洗濯注水が容易に行いうる強制循環風呂付き給湯器のバスアダプタの提供を目的としている。
【０００５】
【課題を解決するための手段】
上記課題を解決するこの発明の第１の強制循環風呂付き給湯器のバスアダプタは、浴槽水を循環加熱する循環加熱回路と、該循環加熱回路に接続して浴槽への給湯、給水を行う給湯回路とを備え、上記浴槽に備えられたバスアダプタＢが２つの接続口２７、２８のどちらに循環加熱回路の往き管、戻り管のいずれを接続しても浴槽への往き、浴槽からの戻りの各機能が得られる強制循環風呂付き給湯器において、
前記バスアダプタＢが、２つの接続口２７、２８のいずれかに通ずる浴槽への往き又は浴槽からの戻り通路２９と、その外周に浴槽への往き又は浴槽からの戻り通路３０とを有する外側循環口体３１と、
キャップ３３が脱着と回動が自由に行えるように嵌着され、前記外側循環口体３１の浴槽への往き又は浴槽からの戻り通路２９に通ずる浴槽への往き又は浴槽からの戻り通路３４と、浴槽への往き又は浴槽からの戻り通路３０に通ずる浴槽への往き又は浴槽からの戻り通路３５とを設け、該浴槽への往き又は浴槽からの戻り通路３４に浴槽への往き側又は浴槽からの戻り側となる吐出口３６と、浴槽への往き又は浴槽からの戻り通路３５に浴槽からの戻り側又は浴槽への往き側となる吸込口３７とが所定角度変位して設けられた内側循環口体３８とからなり、
前記キャップ３３には前記吐出口又は吸込口に連通できる１つのホース接続口４４を設け、
該キャップ３３を前記内側循環口体３８に対して所定角度回動して浴槽への往き側となる吐出口又は吸入口と同一軸心上にホース接続口４４を変位できることを特徴とする。
【０００６】
上記構成を有するこの発明の第１の強制循環風呂付き給湯器のバスアダプタは、バスアダプタのホース接続口に市販のホースを接続して循環加熱回路の循環ポンプを起動すると、浴槽水は循環加熱回路からバスアダプタ及びホースを介して洗濯機に注水される。この結果、従来のように高価な洗濯注水ユニット、配管設備は不要となる。
【０００７】
上記構成を有するこの発明の強制循環風呂付き給湯器のバスアダプタは、無極性のバスアダプタで、ホース接続口がバスアダプタの浴槽への往き側となる吐出口又は吸込口に同一軸心を保って変位できる。この結果、バスアダプタが無極性であってもこれに対応できる。
【０００８】
上記構成を有するこの発明の強制循環風呂付き給湯器のバスアダプタは、バスアダプタのキャップを予め決められた所定の角度回転させるだけでバスアダプタの浴槽への往き側となる吐出口又は吸込口とホース接続口とは同一軸心上に位置する。この結果、無極性のバスアダプタである場合の対応が容易である。
【０００９】
上記課題を解決するこの発明の第２の強制循環風呂付き給湯器のバスアダプタは、浴槽水を循環加熱する循環加熱回路と、該循環加熱回路に接続して浴槽への給湯、給水を行う給湯回路とを備え、上記浴槽に備えられたバスアダプタＢが２つの接続口２７、２８のどちらに循環加熱回路の往き管、戻り管のいずれを接続しても浴槽への往き、浴槽からの戻りの各機能が得られる強制循環風呂付き給湯器において、
前記バスアダプタＢが、２つの接続口２７、２８のいずれかに通ずる浴槽への往き又は浴槽からの戻り通路２９と、その外周に浴槽への往き又は浴槽からの戻り通路３０とを有する外側循環口体３１と、
キャップが脱着が自由に行えるように嵌着され、前記外側循環口体３１の浴槽への往き又は浴槽からの戻り通路２９に通ずる浴槽への往き又は浴槽からの戻り通路３４と、浴槽への往き又は浴槽からの戻り通路３０に通ずる浴槽への往き又は浴槽からの戻り通路３５とを設け、該浴槽への往き又は浴槽からの戻り通路３４に浴槽への往き側又は浴槽からの戻り側となる吐出口３６と、浴槽への往き又は浴槽からの戻り通路３５に浴槽からの戻り側又は浴槽への往き側となる吸込口３７とが所定角度変位して設けられた内側循環口体３８とからなり、
前記吐出口又は吸込口に連通できる１つのホース接続口４４をバスアダプタＢと別体に形成し、
この別体のホース接続口４４をバスアダプタの浴槽への往き側となる吐出口又は吸込口と同一軸心上に脱着可能に接続することを特徴とする。
上記構成を有するこの発明の第２の強制循環風呂付き給湯器のバスアダプタは、バスアダプタとは別体のホース接続口をその浴槽への往き側となる吐出口又は吸込口に挿入固定すれば、ホース接続口が形成される。また、その抜脱も可能である。この結果、無極性のバスアダプタである場合の対応が容易である。
【００１０】
【発明の実施の形態】
この発明の強制循環風呂付き給湯器のバスアダプタでは、強制循環風呂付き給湯器において、浴槽水を洗濯機に注水するにあたり、浴槽に備えられたバスアダプタの浴槽への往き側に備えられたホース接続口に市販のホースを接続するだけで循環ポンプによる洗濯注水が容易に行いうるようにした。
【００１１】
そこで、上記バスアダプタが２つの接続口のどちらに循環加熱回路の往き管、戻り管のいずれを接続しても、接続をやり直したり、内部通路の切換えを行うことなく、浴槽への往き、浴槽からの戻りの各機能が得られる無極性である場合、ホース接続口をバスアダプタの浴槽への往き側となる吐出口と同一軸心上に変位できるようにしている。
【００１２】
ホース接続口を変位する手段としては、脱着及び回動可能なバスアダプタのキャップにホース接続口を設けて、キャップを予め決められた所定の角度回転させるだけでバスアダプタの浴槽への往き側となる吐出口とホース接続口とが同一軸心上に位置して洗濯注水時はバスアダプタの浴槽への往き側となる吐出口とホース接続口とが連通する構造とするほか、別体のホース接続口を設け、この別体のホース接続口をバスアダプタの浴槽への往き側となる吐出口に脱着可能として、洗濯注水時はバスアダプタの浴槽への往き側となる吐出口にホース接続口を挿入固定して接続すれば、無極性のバスアダプタに容易に対応できる。したがって、これらのホース接続口に市販のホースを接続して洗濯機に導けば、浴槽水の洗濯注水ができる。
【００１３】
以上この発明の実施の形態の一例について説明したが、この発明はこうした実施の形態に何ら限定されず、この発明の要旨を逸脱しない範囲において様々な形態で実施しうること勿論である。
【００１４】
以上説明したこの発明の構成、作用及び実施の形態を一層明確にするために、この発明の強制循環風呂付き給湯器のバスアダプタを具体的に示した実施例について図面を参照して以下に説明する。
【００１５】
【実施例】
図１は一実施例としての使用状態の概略構成図、図２はその配置図である。強制循環風呂付き給湯器Ａは往き管１と戻り管２により浴槽３とバスアダプタＢを介して接続され、浴槽水ａを循環加熱する循環加熱回路４と、ガス燃焼により加熱した温水を循環加熱回路４に送り往き管１と戻り管２を経由して浴槽３に給湯する給湯回路５と、両回路４、５の動作を制御するコントローラ６とからなる。
【００１６】
循環加熱回路４は、浴槽水ａを循環させる釜内循環路７と、この釜内循環路７にフインアンドチューブ型の熱交換器８と、浴槽水ａを循環させる循環ポンプ９及び流路切替弁１０を備えてなる。そして、これらの循環系における循環水を加熱するための燃焼機構として上記熱交換器８の下部にガスバーナ１１を備え、ガスバーナ１１へのガス導管１２にはガス制御弁１３を備えている。なお、１４は上記循環ポンプ９と流路切替弁１０とを跨いで設けられたバイパス管で、このバイパス管１４には開閉弁１５と圧力センサー１６が備えられている。
【００１７】
一方、給湯回路５は、冷水を加熱してあるいはそのまま循環加熱回路４に送り出す流路である給水路１７と、この給水路１７にフインアンドチューブ型の熱交換器１８と、ホッパー１９とを備え、給水路１７は上記循環加熱回路４に接続されている。そして、これらの給水系における冷水を加熱するための燃焼機構として上記熱交換器１８の下部にガスバーナ２０を備え、ガスバーナ２０へのガス導管２１にはガス制御弁２２を備えている。なお、上記給水路１７には水流スイッチ２３、水温検出用サーミスタ２４、給水路１７を開閉する給水弁２５が備えられている。図１において、２６は遠隔操作用のリモコンで、コントローラ６に接続されている。また、図１及び図２において、Ｃは洗濯機、４９はホース、Ｄは浴室の出入口である。
【００１８】
バスアダプタＢは、たとえば、図３及び図４に示されているように、２つの接続口２７、２８のどちらに循環加熱回路４の往き管１、戻り管２のいずれを接続しても、接続をやり直したり、内部通路の切換えを行うことなく、浴槽への往き、浴槽からの戻りの各機能が得られる無極性となっており、２つの接続口２７、２８に通ずる浴槽への往き又は浴槽からの戻り通路２９、３０を有する外側循環口体３１と、フイルタ３２を備えたキャップ３３が脱着と回動が自由に行えるように嵌着され、上記２つの接続口２７、２８と浴槽への往き又は浴槽からの戻り通路２９、３０を介して連通する浴槽への往き側となる吐出口３６又は３７と浴槽からの戻り側となる吸込口３７又は３６を有する内側循環口体３８とからなり、両循環口体３１、３８を浴槽３の壁３９を挟んで螺着固定できるようになっている。なお、４０は一方の通路２９と吸込口又は吐出口３６との接続部に設けたＯリング、４１、４２は内外の循環口体３１、３８と浴槽３の壁３９との間に介在したパッキング、４３は平シートである。
【００１９】
４４はホース接続口であって、図３〜図７に示されている実施例は、ホース接続口を上記バスアダプタＢのキャップに設けている。すなわち、内外の循環口体３１、３８の浴槽への往き又は浴槽からの戻り通路２９、３４又は３０、３５に通ずる浴槽への往き側又は浴槽からの戻り側となる吐出口３６と浴槽からの戻り側又は浴槽への往き側となる吸込口３７とが略９０度変位して同一軌跡位置に固定して設けられ、一方キャップ３３には上記浴槽への往き側又は浴槽からの戻り側となる吐出口３６又は浴槽からの戻り側又は浴槽への往き側となる吸込口３７とに連通できる１つのホース接続口４４を設け、キャップ３３を所定の角度（略９０度）回動するだけで浴槽への往き側となる吐出口３６又は３７と同一軸心上に回動変位できるようになしている。
【００２０】
図８〜図１１に示されている実施例は、別体のホース接続口４４を設け、この別体のホース接続口４４をバスアダプタの浴槽への往き側となる吐出口３６又は３７に挿入固定してホース接続口４４を形成するものである。すなわち、先端挿入部４５にＯリング４６と係止鍔４７を備えたホース接続口４４を別体に設け、このホース接続口４４の先端挿入部４５を浴槽への往き側となる吐出口３６又は３７にＯリング４６を介して気密に挿入し、その後、キャップ３３を嵌着してキャップ３３に穿ったＵ字状の係止溝４８で係止鍔４７を係止してこれが抜脱しないよう保持するようになしている。
【００２１】
上記構成において、図３〜図７に示されている実施例にあっては、キャップ３３を回動して、たとえば、設置時にバスアダプタＢの浴槽への往き側となる吐出口３６の位置にキャップ３３に設けられているホース接続口４４を位置させ、吐出口３６とホース接続口４４とを同一軸心上に変位させる（図３及び図６参照）。設置後、洗濯注水するときは、ホース接続口４４にホース４９を接続してホース４９を洗濯機Ｃに導き、洗濯注水スイッチ（循環スイッチ）をＯＮして循環加熱回路４に設けられた循環ポンプ９を起動すると、浴槽水ａは吸込口３７から吸込まれ、戻り管２から循環加熱回路４を経て往き管１に至り、吐出口３６からホース接続口４４及びホース４９を介して洗濯機Ｃに注水される（図１及び図３参照）。上記洗濯機Ｃへの注水が一定量に達すると、循環ポンプ９を停止し注水を止める。
【００２２】
また、上記吸込口３７が浴槽への往き側の吐出口となる場合は、設置時にホース接続口４４を浴槽への往き側となる吐出口３７の位置に回動セットし（図４及び図７参照）、設置後、洗濯注水するときは、吐出口３７にホース４９を接続すれば、上記した理により浴槽水ａは吸込口３６から吸込まれ、往き管１から循環加熱回路４を経て戻り管２に至り、吐出口３７からホース接続口４４及びホース４９を介して洗濯機Ｃに注水される。
【００２３】
なお、上記洗濯注水において、吸込口３６又は３７側には必ずフィルター３２を位置させるのが好ましい。浴槽水中の異物を除去して洗濯機Ｃに注水できるからである。
【００２４】
【発明の効果】
この発明の強制循環風呂付き給湯器のバスアダプタは、以上説明したような形態で実施され、以下に記載されるような効果を奏する。
【００２５】
この発明の第１の強制循環風呂付き給湯器のバスアダプタは、バスアダプタの浴槽への往き側にホース接続口を設けて、このホース接続口に市販のホースを接続し循環加熱回路の循環ポンプを起動すれば、浴槽水は循環加熱回路からバスアダプタ及びホースを介して洗濯機に注水される。したがって、従来のように高価な洗濯注水ユニット、余分な配管設備が不要となるため、コストが著しく低減できる。
【００２６】
この発明の強制循環風呂付き給湯器のバスアダプタは、無極性のバスアダプタで、ホース接続口がバスアダプタの浴槽への往き側となる吐出口又は吸込口に同一軸心を保って変位できるから、設置時の切換え操作で無極性のバスアダプタに容易に対応できる。
【００２７】
この発明の強制循環風呂付き給湯器のバスアダプタは、ホース接続口をバスアダプタのキャップに設けたので、キャップを回動変位するだけでバスアダプタの浴槽への往き側となる吐出口又は吸込口とホース接続口との接続が行いうるから、設置時の切換え操作が簡易で無極性のバスアダプタである場合の対応が容易である。
【００２８】
この発明の第２の強制循環風呂付き給湯器のバスアダプタは、バスアダプタとは別体のホース接続口をその浴槽への往き側となる吐出口又は吸込口に脱着自由としたから、設置時に浴槽への往き側となる吐出口又は吸込口に挿入固定するだけでホース接続口が形成でき、設置時の切換え操作が簡易で無極性のバスアダプタである場合の対応が容易である。
【図面の簡単な説明】
【図１】この発明の強制循環風呂付き給湯器のバスアダプタの使用状態の一実施例を示した全体の概略構成図である。
【図２】給湯器、浴槽、洗濯機の配置関係の一例を示した概略配置図である。
【図３】バスアダプタの洗濯注水状態の一例を示した図６のＸ−Ｘ′線における縦断側面図である。
【図４】バスアダプタの異なる洗濯注水状態の一例を示した図７のＹ−Ｙ′線における縦断側面図である。
【図５】洗濯注水しない場合のバスアダプタの吸込口と吐出口とキャップに設けられたホース接続口との設置時の位置関係の一例を示した要部だけの縦断正面図である。
【図６】バスアダプタの浴槽への往き側となる一方の吐出口にホース接続口を位置させた場合の要部だけの縦断正面図である。
【図７】バスアダプタの浴槽への往き側となる他方の吐出口にホース接続口を位置させた場合の要部だけの縦断正面図である。
【図８】別体のホース接続口とした場合のホース接続口を分離した状態を示した要部だけの縦断正面図である。
【図９】バスアダプタの浴槽への往き側となる一方の吐出口に別体のホース接続口を接続した場合の要部だけの縦断正面図である。
【図１０】バスアダプタの浴槽への往き側となる他方の吐出口に別体のホース接続口を接続した場合の要部だけの縦断正面図である。
【図１１】バスアダプタの浴槽への往き側となる吐出口に別体のホース接続口を接続した場合の要部だけの平面図である。
【図１２】従来の洗濯注水の一例を示した概略配置図である。
【符号の説明】
Ａ…強制循環風呂付き給湯器、Ｂ…バスアダプタ、Ｃ…洗濯機、１…往き管、２…戻り管、３…浴槽、４…循環加熱回路、５…給湯回路、２７、２８…接続口、３６…吐出口、３７…吸込口、３３…キャップ、４４…ホース接続口。
【図１】
0003713643.tif 000002
【図２】
0003713643.tif 000003
【図３】
0003713643.tif 000004
【図４】
0003713643.tif 000005
【図５】
0003713643.tif 000006
【図６】
0003713643.tif 000007
【図７】
0003713643.tif 000008
【図８】
0003713643.tif 000009
【図９】
0003713643.tif 000010
【図１０】
0003713643.tif 000011
【図１１】
0003713643.tif 000012
【図１２】
0003713643.tif 000013